(57)【要約】【課題】  係合装置とファスナーの引張片とを結合することによって、識別カードや玩具やホイッスルや携帯電話などの物品を気軽で便利に係合・吊り下げることにより、それらの物品の落下や損害や遺失などを発生することを防止する。【解決手段】ファスナーにおける噛み合わせ手段３０に設けられ、掛けフック部１２と、その掛けフック部１２より下向きに延伸して形成される挟持部１４とを有しつつ、掛けフック部１２が噛み合わせ手段３０に連接されるように設計された、連接片１０と、上縁部に連接片１０における挟持部１４に連接されると共に、その下縁部に物品を吊り下げられるように設計された係合装置２４とを備える。【選択図】      図２
0003103985.tif 000002
【実用新案登録請求の範囲】
【請求項１】
ファスナーにおける噛み合わせ手段に設けられる係合装置結合引張片構造において、
前記ファスナーにおける噛み合わせ手段に連接される掛けフック部と、その掛けフック部より下向きに延伸して形成される挟持部とを備えている、連接片と、
上端部が前記連接片の前記挟持部に連接されると共に、下端部には物品が吊り下げられる係合装置とを備えていることを特徴とする係合装置結合引張片構造。
【請求項２】
前記係合装置としてボール・コネクタを使用し、当該ボール・コネクタには、ボール・ボディと、そのボール・ボディの下方に配置される連接部材とを有しており、
前記ボール・ボディが回転可能に前記挟持部内に挟持されることを特徴とする請求項１に記載の係合装置結合引張片構造。
【請求項３】
前記挟持部には、その挟持部の前後の両内縁より内方へ延伸して形成される複数個の弧形歯部を有し、それらによって前記ボール・コネクタにおけるボール・ボディが落下することを防止することを特徴とする請求項２に記載の係合装置結合引張片構造。
【請求項４】
前記連接部材として分離可能な掛けフック装置を使用し、その掛けフック装置には、前記ボール・ボディと一体成形される雄係止部材と、その雄係止部材に係止される雌係止部材とを有し、前記雌係止部材に縄を通すことによって吊り下げものを縛り付けることを特徴とする請求項２に記載の係合装置結合引張片構造。
【請求項５】
前記連接部材として、滑走移動許容可能な長尺状係止具を使用し、それは前記ボール・ボディの下方に一体成形されると共に、下向きに延伸形成されるものであり、その長尺状係止具は、ますます縮径する環状の壁体より形成され、且つその壁体の上端部より下向きに延伸するスリットが形成され、且つ一本の吊り下げ縄が前記スリットの底端部に係止されて、物品を吊り下げる用途に利用されるようにしたことを特徴とする請求項２に記載の係合装置結合引張片構造。
【請求項６】
前記挟持部がほぼ平板状に形成され、且つ複数の係止槽同士が形成されており、且つ前記係合装置として平板状接続ヘッドを使用し、その平板状接続ヘッドには、前記挟持部の前記係止槽内に係止される係止部と、その係止部の下方に設けられる、分離可能な掛けフック装置と、前記掛けフック装置の下方に設けられる、吊り下げ物を縛り付けるための縄とを備えていることを特徴とする請求項１に記載の係合装置結合引張片構造。
【考案の詳細な説明】
【技術分野】
【０００１】
本考案は、係合装置結合引張片構造に係わり、特にファスナーにおける引張片に、所定の方向に固定されるか、複数の方向へ転回可能に、係合装置を結合してなり、その係合装置に複数種の物品を係合または吊り下げられるように考案された、係合装置結合引張片構造に関するものである。
【背景技術】
【０００２】
ファスナーの発明は、人間の生活を大変便利化した。その打開と締め付けの操作がかなり速やかで便利的であり、従来のわれわれの生活上においては、既に非常に普遍化しており、衣類から、ハンド・バッグやグッズなどまで幅広に延伸応用され、同一のジャンパにおいても複数本のファスナー同士を有する場合もあり、しかしながら、従来では、ファスナーの構造は、依然として決まって打開と締め付けの操作に限定され、他の有効な付加価値を有しない。
【０００３】
図１に示すのは、マーケットによく見られる一般の、ポケットに設けられるファスナーの構造を示す平面図であり、そのような、従来の、ポケットに設けられるファスナー１０ａには、二本のファスナー・テープ同士２０ａと、それらの二本のファスナー・テープ同士２０ａに設けられる複数の噛み合い歯同士３０ａと、複数の噛み合い歯同士３０ａを噛み合わせるように作用する噛み合わせ手段４０ａと、その噛み合わせ手段４０ａに引っ掛けられる引張片５０ａと、を備えており、その引張片５０ａが、指の引っ張りに供することによって、ファスナー１０ａにおける噛み合わせ手段４０ａを引きずって、ファスナー・テープ同士２０ａを締め付けるものである。
【０００４】
ポケットに配置されるファスナー１０ａの用途として、普段は、ポケット内に収納される貴重な物品、例えば財布や携帯電話などが、そのポケットより落下して損害または遺失されることを防止するためのものであり、また、そのポケットにおけるファスナー１０ａを締め付け忘れる場合に、よく物品の落下遺失を造成し、そのため、従来技術のファスナーとその引張片との配合構造はやはり不便さと課題を有し、至極改善される必要がある。
【考案の開示】
【考案が解決しようとする課題】
【０００５】
本考案は、係合装置とファスナーの引張片とを結合することによって、識別カードや玩具やホイッスルや携帯電話などの物品を気軽で便利に係合・吊り下げることにより、それらの物品の落下や損害や遺失などを発生することを防止することができる、係合装置結合引張片構造を提供することをその主要な解決しようとする課題とする。
【０００６】
また、本考案は、係合装置とファスナーにおける引張片とが回転可能に結合され、吊り下げられる物品が多方向の回動をすることができるように考案した、係合装置結合引張片構造を提供することをその第二の解決しようとする課題とする。
【０００７】
また、本考案は、係合装置とファスナーにおける引張片とが固着結合されることを特徴とする、係合装置結合引張片構造を提供することをその第三の解決しようとする課題とする。
【課題を解決するための手段】
【０００８】
前記の第一の目的を図るために、本考案は、ファスナーにおける噛み合わせ手段に設けられる係合装置結合引張片構造において、
掛けフック部と、その掛けフック部より下向きに延伸して形成される挟持部とを有しつつ、前記掛けフック部が前記噛み合わせ手段に連接されるように設計された、連接片と、
上縁部に前記連接片における前記挟持部に連接されると共に、その下縁部に物品を吊り下げられるように設計された係合装置とを備えていることを特徴とする係合装置結合引張片構造を提供する。
【０００９】
また、前記の第二の目的を図るために、本考案は、前記係合装置としてボール・コネクタを使用し、当該ボール・コネクタには、ボール・ボディとそのボール・ボディの下方に設けられる連接部材とを有し、前記ボール・ボディが回動可能に前記挟持部内に挟持されるように設計されることを特徴とする係合装置結合引張片構造を提供する。
【００１０】
また、前記の第三の目的を図るために、本考案は、前記挟持部として平板状に形成されると共に、複数の係止槽を有するものを利用し、且つ前記係合装置として平板状接続ヘッドを利用し、当該平板状接続ヘッドには、前記挟持部の前記係止槽内に係止される係止部と、前記係止部の下方に設けられる、物品を吊り下げられる、分離可能な掛けフック手段とを有することを特徴とする係合装置結合引張片構造を提供する。
【考案を実施するための最良の形態】
【００１１】
図２ないし図５に示すのは、本考案の最良の実施の形態であり、本考案は、一種の係合装置結合引張片構造を提供し、それは、ファスナーにおける噛み合わせ手段３０に設けられ、噛み合わせ手段３０が二本のファスナー・テープ同士に跨るように配置され、当該係合装置を結合する引張片構造には、連接片１０と係合装置とを備えており、その係合装置として本実施の形態においては、ボール・コネクタを採用している。
【００１２】
連接片１０には、掛けフック部１２と挟持部１４を有し、その挟持部１４が掛けフック部１２より下向きに延伸形成されるものであり、掛けフック部１２が噛み合わせ手段３０に連接される。
【００１３】
また、ボール・コネクタ２０には、ボール・ボディ２２と、そのボール・ボディ２２の下方に設けられる連接部材２４とを備えており、そのボール・ボディ２２が回動可能に挟持部１４に挟持され、連接部材２４として本実施の形態においては、分離可能な掛けフック手段２４を採用し、その掛けフック手段２４の下部には、飾り物などの物品を吊り下げられる。
【００１４】
その中、挟持部１４には、その挟持部１４の前後両内縁部より内方へ延伸して形成される複数個弧形歯部１４２を有し、それらによってボール・コネクタ２０のボール２０が落下することを防止する。掛けフック装置２４には、雄係止部材２４２と、雌係止部材２４４とを備えており、それらの両者は相互に係合されている。その中、雄係止部材２４２がボール・ボディ２２と一体成形され、雌係止部材２４４には縄が通されて物品を縛り付け、吊り下げる用に供する。雌係止部材２４４には、中間部における本体と、その本体の底部より両側へ、且つ上向けて延伸形成され、且つ前記本体との間には隙間が存在している、一対の弾性片同士とを備えている。
【００１５】
このような係合装置結合引張片構造による場合、容易に複数種の吊り下げ物を係合連結でき、吊り下げ物の落下や損害などを防止できると共に、その吊り下げ物に揺動させたり多方向へ旋回させたりすることもできる。
【００１６】
図６に示すのは、本考案が衣類のポケットに設けられた横式のファスナーに導入された場合の状況を示す説明図であり、その中、前記係合装置を結合する引張片構造が、携帯電話４０を吊り下げることに用いることができ、携帯電話４０を前記ポケットの内部に置いてもよいことは言うまでもない。
【００１７】
図７に示すのは、本考案の係合装置結合引張片構造の飾り物を吊り下げる場合のことを示す説明図であり、本考案による係合装置結合引張片構造が飾り物４２を吊り下げて装飾の機能を発揮でき、そのような飾り物として例えば玩具人形などを吊り下げられる。
【００１８】
図８は、本考案の係合装置結合引張片構造の姓名札を吊り下げる場合のことを示す説明図であり、本考案による係合装置結合引張片構造には、姓名札を吊り下げる用途に使用でき、単に、掛けフック装置２４の雌係止部材２４４を旋回すれば、前記姓名札が雌係止部材２４４の弾性片の内側の隙間に掛けられるようになる。
【００１９】
図９ないし図１１は、本考案の係合装置の他の実施の形態を示す分解斜視図と、組立平面図と、組立斜視図である。本考案の係合装置６０の目的として、物品を吊り下げ、遺失を避けるものであり、そのため、前記に開示された実施例のみに制限されない。その係合装置６０は、この実施の形態においては、ボール・ボディ６２と、そのビール・ボディ６２の下方に設けられる連接部材６４とを含んでおり、ボール・ボディ６２が回転可能に挟持部１４内に挟持され、その中、連接部材６４は、この実施例において、滑走移動許容可能な長尺状係止具を使用し、それはボール・ボディ６２の下方に一体成形されると共に、下向きに延伸形成されるものである。その長尺状係止具６４は、ますます縮径する環状の壁体より形成され、且つその壁体の上端部より下向きに延伸するスリット６６が形成され、且つ一本の吊り下げ縄６８がスリット６６の底端部６６２を係止されて、物品を吊り下げる用途に利用される。その中、吊り下げ縄６８の上端部にはスリット６６の底端部６６２を係止する大径部６８２が形成され、これらの処置によって、係合装置６０が多方向に回転でき、且つ吊り下げ縄６８が活動可能に設定されるので、物品を吊り下げた後に、また、長尺状係止具６４内に係止されて使用される。
【００２０】
図１２と図１３は、本考案の係合装置結合引張片構造の他の実施の形態を示す分解前面図と、組立前面図である。その結合係合装置結合引張片構造は、固着結合式の引張片を使用し、それには、連接片７０と、係合装置８０とを有し、その中、連接片７０には掛けフック部７２と、その掛けフック部７２より下向きに延伸して形成される挟持部７４とを備えており、掛けフック部７２が前記ファスナーの噛み合わせ手段に連接される。
【００２１】
挟持部７４がほぼ平板状に形成され、且つ複数の係止槽同士７４が形成されている。その中、係合装置８０として平板状接続ヘッド８０を使用し、その平板状接続ヘッド８０には、挟持部７４の係止槽７４２内に係止される係止部８２と、その係止部８２の下方に設けられる、分離可能な掛けフック装置８４とを備えており、掛けフック装置８４は、前記に説明した構造と同様に、平板状接続ヘッド８０と一体成形されると共に、下向きに延伸して形成される雄係止部材８４２と、雄係止部材８４２に係合される雌係止部材８４４とを有しており、その中、掛けフック装置８４の雌係止部材８４４の構造が前記と同じように、縄を通すことによって物品を吊り下げられる。
【００２２】
係合装置８０も、挟持部７４より下向きに延伸するように平板状接続ヘッドを一体成形でき、その平板状接続ヘッドの下端部にさらに着脱可能な掛けフック装置８４をつけてもよい。
【産業上の利用可能性】
【００２３】
前記に説明したとおり、本考案の係合装置結合引張片構造による場合、係合装置とファスナーの引張片とを結合することによって、識別カードや玩具やホイッスルや携帯電話などの物品を気軽で便利に係合・吊り下げることにより、それらの物品の落下や損害や遺失などを発生することを防止することができる。
【００２４】
前記に説明したように、本考案は、確かに実用新案登録の要件を満たすので、法に従って出願を提起するが、前記に開示されたそれぞれの具体的な構造は、単に本考案の実施可能な実施の形態に過ぎず、それらの構造によって本考案の主張範囲を狭義的に定義するものではなく、本考案の実用新案登録請求の範囲に開示される技術手段の要旨に基づいて実施される相同効果の修飾や変化などが、やはり本考案のカバーする範囲に属すると認められるべきである。
【図面の簡単な説明】
【００２５】
【図１】従来のポケットに設けられるファスナーの構造を示す説明図である。
【図２】本考案の係合装置結合引張片構造を示す分解斜視図である。
【図３】本考案の係合装置結合引張片構造を示す斜視図である。
【図４】本考案の係合装置結合引張片構造を示す平面図である。
【図５】本考案の係合装置結合引張片構造を示す側面図である。
【図６】本考案の係合装置結合引張片構造が衣類のポケットにおける横式のファスナーに配置されると共に、携帯電話が吊り下げられる状況を示す説明図である。
【図７】本考案の係合装置結合引張片構造に玩具人形が吊り下げられる状況を示す斜視図である。
【図８】本考案の係合装置結合引張片構造に姓名札を吊り下げる場合を示す説明図である。
【図９】本考案の係合装置の他の実施の形態を示す分解斜視図である。
【図１０】本考案の係合装置の他の実施の形態を示す組立平面図である。
【図１１】本考案の係合装置の他の実施の形態を示す組立斜視図である。
【図１２】本考案の係合装置結合引張片構造の他の実施の形態を示す分解前面図と組立前面図である。
【図１３】本考案の係合装置結合引張片構造の他の実施の形態を示す組立前面図である
【符号の説明】
【００２６】
１０、７０  連接片
１２、７２  掛けフック部
１４、７４  挟持部
２０    ボール・コネクタ
２２、６２  ボール・ボディ
２４、８４  掛けフック装置
３０    噛み合わせ手段
４０    携帯電話
４２    飾り物
６０、８０  係合装置
６４    長尺状係止具
６６    スリット
６８    吊り下げ縄
８２    係止部
１４２  弧形歯部
２４２、８４２  雄係止部材
２４４、８４４  雌係止部材
６６２  底端部
６８２  大径部
【図１】
0003103985.tif 000003
【図２】
0003103985.tif 000004
【図３】
0003103985.tif 000005
【図４】
0003103985.tif 000006
【図５】
0003103985.tif 000007
【図６】
0003103985.tif 000008
【図７】
0003103985.tif 000009
【図８】
0003103985.tif 000010
【図９】
0003103985.tif 000011
【図１０】
0003103985.tif 000012
【図１１】
0003103985.tif 000013
【図１２】
0003103985.tif 000014
【図１３】
0003103985.tif 000015